(57)【要約】【課題】  結婚式や葬式などの催事における祝儀や香典の集計作業を簡便に行って、集計に要する負担を軽減する。【解決手段】  催事会場の受付係ＲＥは、金封２０に収めされている金額を確認し、確認した金額を示す金額コードシール１０を金封２０もしくは中袋２０Ａに貼り付ける。受け取ったお金の集計を行うときは、金封２０から取り出した現金を集めて集計するとともに、前記集計システム１００のコードスキャナ１１０で金封２０に張られた金額コードシール１０をコードスキャナ１１０で読み取る。読み取られたコードデータは、金額が解読されて読取データ１２２として保存される。集計用パソコン１２０では、集計プログラム１２４によって読取データ１２２が集計され、集計データ１２６が出力装置１５０において表示ないし印刷出力される。【選択図】図１
2020104941.tif 000002
【特許請求の範囲】
【請求項１】
催事における金封もしくは名簿にシールとして貼り付けられるか、もしくは印刷される金額集計用コードであって、
前記コードが前記金封に入れられる金額の情報を含むことを特徴とする金額集計用コード。
【請求項２】
請求項１記載の金額集計用コードをシールとして貼り付けるか、もしくは印刷したことを特徴とする催事用の金封。
【請求項３】
前記金封と、複数の金額の前記シールがセットで販売されており、前記金封に入れる金額に該当するシールを、該金封の購入者が前記金封に貼り付けることを特徴とする請求項２記載の金封。
【請求項４】
請求項２又は３記載の金封に表示されている金額集計用コードの金額を読み取るコード読取手段，
読み取ったコードを解読して得た金額を集計する集計手段，
集計結果を出力する出力手段，
を備えたことを特徴とする集計システム。
【請求項５】
前記金封に表示されている氏名を読み取る氏名読取手段，
前記金額を、前記氏名と対応してリストを作成するリスト作成手段，
を備えたことを特徴とする請求項４記載の集計システム。
【請求項６】
請求項１記載の名簿に表示されている金額集計用コードを読み取るコード読取手段，
前記名簿に表示されている住所及び氏名を読み取る住所・氏名読取手段，
読み取ったコードを解読して金額を得るとともに、該金額を集計する集計手段，
解読した金額を、前記住所・氏名と対応してリストを作成するリスト作成手段，
を備えたことを特徴とする集計システム。
【請求項７】
請求項２記載の金額集計用コードが印刷された金封が、金額毎に複数用意されており、これらのうちのいずれかを購入するときに販売店で、金封に入れる金額を収めるステップ，
請求項４〜６のいずれかの集計システムで集計された金額を、前記販売店に請求するステップ，
を含むことを特徴とする集計方法。
【発明の詳細な説明】
【技術分野】
【０００１】
本発明は、祝儀や香典などの金額を集計する金額集計用コード，金封，及び集計システムに関する。
【背景技術】
【０００２】
祝儀等の金額を集計する従来技術としては、例えば、下記特許文献１記載の「イベント支援システム、イベント支援方法、およびプログラム」がある。これは、お祝儀や香典の受け付けを事前に行って、供物等の贈物の注文や支払を一元に管理することを目的としたもので、主催者、イベントの種類、開催日時、会場及び宗教に関するイベント情報が、イベントの会場及び宗教ごとに、提供される複数の商品と、各商品の発注先に関する情報と対応付けてコンピュータに記憶される。次に、ユーザからの入力に基づいて、該当するイベント情報を抽出し、その会場及び宗教に関する情報に基づいて、対応付けられた定番商品を含む複数の商品に関する情報を抽出する。そして、抽出された複数の商品をユーザに提示し、ユーザが選択し商品に対応付けられた発注先を抽出して発注するようにしたものである。
【先行技術文献】
【特許文献】
【０００３】
【特許文献１】特開2016-162300号公報
【発明の概要】
【発明が解決しようとする課題】
【０００４】
ところで、祝儀や香典などは、出席者毎に金額が異なるため、その集計には多大の手数を必要とする。また、集計後においては、引出物や香典返しの種類の選択に金額が影響するため、出席者と金額との関係が分かるように集計する必要があり、これらの集計作業を簡便に行うことができれば、好都合である。
【０００５】
本発明は、以上のような点に着目したもので、催事における祝儀や香典の集計作業を簡便に行って、負担を軽減することを、その目的とする。
【課題を解決するための手段】
【０００６】
本発明の金額集計用コードは、催事における金封もしくは名簿にシールとして貼り付けられるか、もしくは印刷される金額集計用コードであって、前記コードが前記金封に入れられる金額の情報を含むことを特徴とする。
【０００７】
本発明の金封は、前記金額集計用コードをシールとして貼り付けるか、もしくは印刷したことを特徴とする。あるいは、前記金封と、複数の金額の前記シールがセットで販売されており、前記金封に入れる金額に該当するシールを、該金封の購入者が前記金封に貼り付けることを特徴とする。
【０００８】
本発明の集計システムは、前記金封に表示されている金額集計用コードの金額を読み取るコード読取手段，読み取ったコードを解読して得た金額を集計する集計手段，集計結果を出力する出力手段，を備えたことを特徴とする。あるいは、前記金封に表示されている氏名を読み取る氏名読取手段，前記金額を、前記氏名と対応してリストを作成するリスト作成手段，を備えたことを特徴とする。あるいは、前記名簿に表示されている金額集計用コードを読み取るコード読取手段，前記名簿に表示されている住所及び氏名を読み取る住所・氏名読取手段，読み取ったコードを解読して金額を得るとともに、該金額を集計する集計手段，解読した金額を、前記住所・氏名と対応してリストを作成するリスト作成手段，を備えたことを特徴とする。
【０００９】
本発明の集計方法は、前記金額集計用コードが印刷された金封が、金額毎に複数用意されており、これらのうちのいずれかを購入するときに販売店で、金封に入れる金額を収めるステップ，前記いずれかの集計システムで集計された金額を、前記販売店に請求するステップ，を含むことを特徴とする。本発明の前記及び他の目的，特徴，利点は、以下の詳細な説明及び添付図面から明瞭になろう。
【発明の効果】
【００１０】
本発明によれば、催事における金封もしくは名簿に、金額を示す集計用のコードシールを貼り付けるか、もしくは、集計用コードを印刷することとしたので、祝儀や香典などの集計作業を簡便に行って、負担軽減を図ることができる。
【図面の簡単な説明】
【００１１】
【図１】本発明の実施例１を示す図である。(A)は金額コードシールを示し、(B)は催事会場における受付の様子を示し、(C)は集計システムの構成を示す。
【図２】本発明の実施例２を示す図である。(A)は金封に金額コードシールを同封する例であり、(B)は予め金額コードシールを印刷した例である。
【図３】本発明の実施例３を示す図である。(A)〜(C)は金封に金額コードシールを張り付けた場合の出席者・金額リストを作成する例であり、(D)は名簿に金額コードシールを張り付けた場合の出席者・金額リストを作成する例である。
【図４】本発明の実施例４を示す図である。(A)はお金を金封の販売店に支払う例であり、(B)は金額コードシールを金封に金額に応じた枚数分貼り付ける例である。
【発明を実施するための形態】
【００１２】
以下、本発明を実施するための最良の形態を、実施例に基づいて詳細に説明する。
【実施例１】
【００１３】
最初に、図１を参照しながら、本発明の実施例１について説明する。本実施例では、図１(A)に示すように、適宜の金額毎の金額コードシール１０が予め用意される。金額コードシール１０は、一次元バーコードでもよいし、ＱＲコード（登録商標）のような二次元バーコードでもよい。図示の例では、１０００円であることを示す千円コードシール１０Ａ，五千円であることを示す五千円コードシール１０Ｂ，１万円であることを示す一万円コードシール１０Ｃが用意されている。もちろん、三万円コードシール，五万円コードシール，十万円コードシールなど、適宜作ってよい。
【００１４】
例えば、結婚や葬儀などの催事では、図１(B)に示すように、出席者ＡＴは、受付係ＲＥに祝儀袋や香典袋などの金封２０を渡して名簿ＮＬに記名を行う。その際に、本実施例では、受付係ＲＥは、金封２０に収めされている金額を確認し、確認した金額を示す金額コードシール１０を、同図(A)に示すように、金封２０に貼り付ける。中袋（中包み）２０Ａに貼り付けるようにしてもよい。例えば、金額が五千円であるときは、五千円コードシール１０Ｂを貼り付けるようにする。
【００１５】
一方、本実施例では、図１(C)に示す集計システムが利用される。同図において、集計システム１００は、コードスキャナ（コードリーダ）１１０と、集計用パソコン１２０と、モニタやプリンタなどの出力装置１５０によって構成されている。コードスキャナ１１０は、上述した金額コードシール１０で表されているコードを読みるためのもので、読み取ったコードデータは、集計用パソコン１２０で金額が解読され、読取データ１２２として、集計用パソコン１２０のメモリに格納されるようになっている。集計用パソコン１２０では、演算部で集計プログラム１２４が実行されており、上述した読取データ１２２を集計して合計金額が演算されるようになっている。演算結果は、集計データ１２６としてメモリに格納され、更には、出力装置１５０に出力される。具体的には、モニタに表示されたり、プリンタによって印刷されるようになっている。なお、リスト作成プログラム１３０，出席者・金額リスト１３２については後述する。
【００１６】
次に、本実施例の全体の作用を説明する。上述したように、催事会場の受付係ＲＥは、金封２０に収めされている金額を確認し、確認した金額を示す金額コードシール１０を金封２０もしくは中袋２０Ａに貼り付ける。
【００１７】
受け取ったお金の集計を行うときは、金封２０から取り出した紙幣を集めて集計するとともに、前記集計システム１００のコードスキャナ１１０で金封２０に張られた金額コードシール１０をコードスキャナ１１０で読み取る。読み取られたコードデータは、集計用パソコン１２０に送信され、金額が解読されて読取データ１２２として保存される。集計用パソコン１２０では、集計プログラム１２４によって読取データ１２２が集計され、集計データ１２６が得られる。集計データ１２６は、出力装置１５０において表示ないし印刷出力される。この集計された金額と、紙幣の集計結果を比較することで、金額の集計作業を簡便に行うことができ、催事における集計負担の軽減を図ることができる。
【実施例２】
【００１８】
次に、図２を参照しながら、本発明の実施例２を説明する。上述した実施例１では、金封の受付係ＲＥが金額コードシール１０を金封２０に貼り付けるようにしたが、図２(A)の実施例では、金封の購入者が貼り付けるようにしている。同図に示すように、本実施例の金封セット３０には、金封２０とともに、金額指定シール３２が同梱されている。
【００１９】
金額指定シール３２には、金額が異なる複数の金額コードシールが含まれている。例えば、購入者が、三千円を金封２０に入れるときは、三千円を示す金額コードシール３２Ａを、金封２０（もしくは中袋）に貼り付けるようにする。そして、この金額コードシール３２Ａを貼り付けた金封２０を、催事会場の受付で提出する。このように、催事の出席者側で金額指定シール３２を金封２０に貼り付けることで、催事会場の受付における作業負担の軽減を図ることができる。
【００２０】
図２(B)の金封４０の例は、金額を示すコードを予め金封に印刷した例である。金封４０Ａは金額千円のコードパターン４２Ａが予め印刷されており、金封４０Ｂは金額五千円のコードパターン４２Ｂが予め印刷されており、金封４０Ｎは金額十万円のコードパターン４２Ｎが予め印刷されているといった具合である。購入者は、自分が同封する金額に該当するコードパターンが印刷された金封４０を購入して、催事会場で受付に提出すればよい。この例によっても、催事会場の受付における作業負担の軽減を図ることができる。なお、集計方法は、いずれも、上述した実施例と同様である。
【実施例３】
【００２１】
次に、図３を参照しながら、本発明の実施例３について説明する。上述した実施例では、金額のみの集計を行ったが、本実施例では、催事の出席者と金額との関係のデータも集積するようにしている。同図(A)に示すように、金封５０には、前記いずれかの実施例により、金額コードシール５２が貼り付けるか、もしくは印刷されている。更に、金封５０には、出席者の氏名（ないし名称）５４も表示されている。一方、催事会場の受付の名簿ＮＬには、同図(B)に示すように、出席者の住所・氏名が記帳されている。
【００２２】
そこで、本実施例では、金封５０の金額コードシール５２及び氏名５４をスキャナ２００で読み取るとともに、名簿ＮＬを参照し、該当する出席者の氏名及び住所をスキャナ２０２で読み取る。スキャナ２００，２０２は、読み取り機能があれば、同一のものでもよい。次に、前記実施例と同様に、スキャナ２００の読取結果に基づいて金額の集計が行われる。更に、本実施例では、スキャナ２００，２０２の読取結果に基づいて、パソコン１２０のリスト作成プログラム１３０（図１(C)参照）により、同図(B)に示す出席者の氏名・住所と金額の出席者・金額リスト１３２（図１(C)参照）を作成する。この出席者・金額リスト１３２を出力装置１５０で出力して参照することで、いずれの出席者にどのような引き出物ないし香典返しの品物を返礼するかといった作業を簡便に行うことができる。
【００２３】
同図(D)の実施例は、金額コードシール５２を、出席者の名簿ＮＬに貼り付けるようにしたものである。名簿ＮＬにおける氏名表示を参照し、金封５０における氏名５４の表記に該当する出席者に、金封５０内の金額に相当する金額コードシール５２を貼り付ける。このようにすることで、名簿ＮＬのみをスキャナ２０４で読み取ることで、同図(C)に示したリストを作成することができる。
【実施例４】
【００２４】
次に、図４を参照しながら、本発明の実施例４について説明する。同図(A)に示す金封６０には、予め金額コード６２が印刷されており、金額毎に商品が用意されている。例えば、三千円の金額コードが印刷された金封６０Ａ，五千円の金額コードが印刷された金封６０Ｂ，一万円の金額コードが印刷された金封６０Ｃ，・・・といった具合である。催事の出席者もしくはその家族ＣＴは、上述した金封６０を販売店３００で購入するが、その際に、金額コードに相当する金額も支払う。例えば、一万円の金額コードの金封６０Ｃを購入する場合、金封代を500円とすると、一万円及び金封代500円の合計10,500円を支払う。
【００２５】
金封６０を購入した出席者ＡＴは、図１に示したように、催事会場の受付で金封６０を渡すが、金封６０には、一切現金を入れる必要はない。催事の主催者は、前記実施例１と同様に受け取った金封６０の金額コード６２をスキャナ１１０で読み取って集計する。そして、集計金額３０２を、販売店３００に対して請求し、販売店３００は集計金額分の現金を支払う。
【００２６】
本実施例によれば、金封６０に入れる現金は販売店３００に対して支払われ、金封６０には現金は入れない。催事の主催者は、金封６０の金額コード６２から金額を集計し、これを販売店３００に請求して受け取る。特に葬儀などは、突然に催事の告知が行われることも多く、出席者においては、手元の現金が不足してしまうといったこともあり得る。しかし、本実施例によれば、販売店３００に対するプリペイドカードやクレジットカードなどの決済手段があれば、該当金額の金封６０を購入して催事に間に合わせることができる。また、催事会場では、一切現金を扱わないので、受付における負担が大幅に軽減されるようになる。
【００２７】
次に、同図(B)の例は、一つの金封７０に、複数の金額コードシール７２を貼るようにした例である。上述した実施例では、例えば、千円，三千円，五千円，八千円，一万円，三万円，五万円，八万円，・・・といった具合に、多数の種類の金額コードシールを用意する必要がある。
【００２８】
これに対し、本実施例では、例えば、千円の金額コードシール７２Ａと、一万円の金額コードシール７２Ｂの二種類が用意される。そして、例えば、五千円が入っていた金封７０Ａには、千円の金額コードシール７２Ａを５枚貼り付ける。また、三万円が入っていた金封７０Ｂには、一万円の金額コードシール７２Ｂを３枚貼り付けるといった具合である。
【００２９】
祝儀や香典などは、一般的に千円単位，一万円単位の場合が多いと考えられるので、千円と一万円の金額コードシール７２Ａ，７２Ｂがあれば、通常は、それらを複数使用することで、金封内の金額を表すことができ、多数の金種のコードシールを用意する必要がないといった利点がある。
【００３０】
なお、本発明は、上述した実施例に限定されるものではなく、本発明の要旨を逸脱しない範囲内において種々変更を加え得ることができる。例えば、以下のものも含まれる。
(1)前記コードに、金額以外の情報を含めることを妨げるものではない。例えば、催事の日時，主催者，会場名などが考えられる。図４(A)の実施例においては、販売店名のデータをコードに含めることで、複数の販売店で金封６０が販売されているときに、いずれの販売店で購入した金封なのかを知ることができ、販売店毎に金額を集計して請求することができる。
(2)本発明が適用される催事としては、結婚式や葬式が主な対象であるが、その他、各種の催事に適用してよい。
(3)前記実施例では、金額コードシールをスキャナで読み取ることで金額の集計を行ったが、台紙から剥がしたシールの数をカウントすることで、集計を行うようにしてもよい。
(4)前記実施例を組み合わせるようにしてもよい。例えば、図２の実施例に図４(B)の実施例を適用するといった具合である。
(5)前記実施例では、パソコンを利用して集計作業やリスト作成を行ったが、タブレット，スマートフォンなどの情報端末で行うようにしてもよい。
【産業上の利用可能性】
【００３１】
本発明によれば、催事における金封もしくは名簿に、金額を示す集計用のコードシールを貼り付けるか、もしくは、集計用コードを印刷することとしたので、祝儀や香典などの集計作業を簡便に行って、負担を軽減することができ、結婚式や葬儀などに好適である。
【符号の説明】
【００３２】
１０：金額コードシール
１０Ａ：千円コードシール
１０Ｂ：五千円コードシール
１０Ｃ：一万円コードシール
２０：金封
２０Ａ：中袋
３０：金封セット
３０Ａ：金額コードシール
３２：金額指定シール
４０，４０Ａ，４０Ｂ，４０Ｎ：金封
４２Ａ，４２Ｂ，４２Ｎ：コードパターン
５０：金封
５２：金額コードシール
５４：氏名
６０，６０Ａ，６０Ｂ，６０Ｃ：金封
６２：金額コード
７０，７０Ａ，７０Ｂ：金封
７２，７２Ａ，７２Ｂ：金額コードシール
１００：集計システム
１１０：コードスキャナ
１２０：集計用パソコン
１２２：読取データ
１２４：集計プログラム
１２６：集計データ
１３０：リスト作成プログラム
１３２：出席者・金額リスト
１５０：出力装置
２００，２０２：スキャナ
２０４：スキャナ
３００：販売店
３０２：集計金額
ＡＴ：出席者
ＣＴ：家族
ＮＬ：名簿
ＲＥ：受付係
【図１】
2020104941.tif 000003
【図２】
2020104941.tif 000004
【図３】
2020104941.tif 000005
【図４】
2020104941.tif 000006